(57)【特許請求の範囲】
【請求項１】
インペラーによって攪拌されている溶銑の浴面上に、上吹きランスを介して搬送用ガスとともに溶銑を脱硫するに必要な石灰系脱硫剤の一部を上吹き添加し、残りの石灰系脱硫剤を前記溶銑の浴面上に上置き添加して脱硫処理する、機械攪拌式脱硫装置を用いた溶銑の脱硫方法において、上置き添加される石灰系脱硫剤の添加量に応じて下記の（１）式を用いて臨界粒子速度を求め、上吹きランスから上吹き添加する石灰系脱硫剤の溶銑浴面への衝突時の粒子速度を、求めた臨界粒子速度以上に制御することを特徴とする、溶銑の脱硫方法。
Ｃ＝−０．００００９３×Ｒ2＋０．０４７×Ｒ＋１７…（１）
但し、（１）式において、Ｃは、臨界粒子速度（ｍ／ｓｅｃ）、Ｒは、上置き添加される石灰系脱硫剤の溶銑浴面での単位浴面積あたりの添加量（ｋｇ／ｍ2）である。
【請求項２】
溶銑浴面へ上置き添加する石灰系脱硫剤として、製鉄工程で副次的に発生する石灰含有物質を使用することを特徴とする、請求項１に記載の溶銑の脱硫方法。
【請求項３】
溶銑浴面へ上置き添加する石灰系脱硫剤として、機械攪拌式脱硫装置にて石灰系脱硫剤を用いた溶銑の脱硫処理で発生した脱硫スラグを使用することを特徴とする、請求項１に記載の溶銑の脱硫方法。
【請求項４】
上置き添加する石灰系脱硫剤の割合が、添加する全石灰系脱硫剤の８０質量％以下であることを特徴とする、請求項１ないし請求項３の何れか１項に記載の溶銑の脱硫方法。
【発明の詳細な説明】
【技術分野】
【０００１】
本発明は、機械攪拌式脱硫装置を用いた溶銑の脱硫方法に関し、詳しくは、脱硫反応を促進して効率良く溶銑を脱硫する方法に関する。
【背景技術】
【０００２】
高炉から出銑された溶銑には、鋼の品質に悪影響を及ぼす燐（元素記号：Ｐ）、硫黄（元素記号：Ｓ）が高濃度に含有されており、これらを除去する種々の技術が開発されている。例えば、今日の鉄鋼精錬プロセスにおいては、転炉での脱炭精錬に先立って溶銑に含有される燐及び硫黄を予め除去する方法、所謂、「溶銑の予備処理」が一般的に行われている。このうち、溶銑の脱硫処理は、水平断面がほぼ円形を有する精錬容器に溶銑を保持し、脱硫剤を溶銑上に添加し、インペラー（「攪拌羽根」、「攪拌翼」とも呼ぶ）と称する、羽根を有する回転子を溶銑中に浸漬して回転させ、溶銑及び脱硫剤を攪拌して脱硫する方法（以下、「機械攪拌式脱硫法」という）が広く行われている。この機械攪拌式脱硫法においては安価なＣａＯ（石灰）を主成分とする石灰系脱硫剤が用いられている。
【０００３】
この石灰系脱硫剤を用いた脱硫反応において、脱硫反応速度を高めるためには、溶銑と脱硫剤との反応界面積を増加させることが効果的であることが分かっており、従って、添加する脱硫剤の粒径を細粒化すれば脱硫反応効率が向上する。しかし、実機での機械攪拌式脱硫法においては、ホッパーから脱硫剤を切り出し、溶銑鍋などの処理容器の上方に設置した投入シュートから脱硫剤を処理容器内に上置き添加する方法が一般的であり、このような方法で細粒の脱硫剤を添加すると、飛散する脱硫剤や上昇気流で舞い上がる脱硫剤が多くなり、脱硫剤の添加歩留まりが低下し、結局、効率的な脱硫処理は得られない。その上、飛散した脱硫剤はダストとして蓄積し、ダスト処理が頻発するという問題も発生する。
【０００４】
また、石灰系脱硫剤の主成分であるＣａＯ粉体と溶鉄との界面張力は１．７５Ｎ／ｍであり、ＣａＯは溶銑とは濡れ難い性質を有する。このため、溶銑に添加された粉体のＣａＯは互いに凝集してしまい、凝集体内部のＣａＯは未反応のままであるため、脱硫剤を微細化する効果が得られないという問題も生ずる。
【０００５】
この問題を解決するべく、特許文献１には、機械攪拌式脱硫装置を用いた溶銑の脱硫方法において、インペラーによって攪拌されている溶銑の浴面上に、脱硫剤を、上吹きランスを介して搬送用ガスとともに上吹き添加して脱硫処理を行うことが提案されている。特許文献１によれば、反応性に優れる細粒の脱硫剤を搬送用ガスとともに上吹き添加するので、添加時の飛散が少なくなり、脱硫剤の添加歩留まりが向上し、そして、細粒の脱硫剤は、反応界面積が大きく、そのため、脱硫反応が促進され、脱硫率を著しく向上させることができるとしている。また、特許文献１は、脱硫剤の投入シュートからの上置き添加と上吹きランスからの上吹き添加との併用も可能であることを記載している。
【０００６】
一方、脱硫処理で発生するダストや脱硫スラグは未反応の部分が多く、従って、これらを再度脱硫処理工程に再使用する方法も提案されている。例えば、特許文献２には、溶銑予備処理で発生したダストを機械攪拌式脱硫法で再使用する技術が提案され、非特許文献１には、インジェクション法による脱硫処理で発生した脱硫スラグを機械攪拌式脱硫法で再使用する技術が提案されている。尚、脱硫スラグとは、脱硫処理後に生成される、脱硫剤を主体とするスラグである。
【先行技術文献】
【特許文献】
【０００７】
【特許文献１】特開２００５−１７９６９０号公報
【特許文献２】特開２００６−２９１３３４号公報
【非特許文献】
【０００８】
【非特許文献１】住友金属、vol.４５−３（１９９３）．p．５２−５８
【発明の概要】
【発明が解決しようとする課題】
【０００９】
本発明者らは、特許文献１に提案された溶銑の脱硫方法を採用することで、石灰系脱硫剤を使用して効率的な脱硫処理が可能になることを確認した。特に、脱硫剤の上置き添加と上吹き添加とを併用することにより、効率的な脱硫処理が可能になることを確認した。この場合に、上置き添加の脱硫剤は、脱硫処理で発生するダストや脱硫スラグでも十分な脱硫が可能であることを確認した。但し、脱硫剤の上置き添加と上吹き添加とを併用する場合に、上置き添加の脱硫剤が多くなると、脱硫効率が悪くなって効率的な脱硫処理が得られないことを確認した。この点に関して、特許文献１は何ら記載していない。
【００１０】
本発明は上記事情に鑑みてなされたもので、その目的とするところは、機械攪拌式脱硫装置で攪拌されている溶銑に、投入シュートからの上置き添加と上吹きランスからの上吹き添加とを併用して石灰系脱硫剤を供給し、該溶銑を脱硫処理するにあたり、上置き添加の脱硫剤が多くなった場合でも、高い添加歩留まりで上吹き添加の脱硫剤を溶銑に侵入させることができ、これにより、安定して高効率で脱硫処理することのできる、溶銑の脱硫方法を提供することである。
【課題を解決するための手段】
【００１１】
上記課題を解決するための本発明の要旨は以下のとおりである。
（１）インペラーによって攪拌されている溶銑の浴面上に、上吹きランスを介して搬送用ガスとともに溶銑を脱硫するに必要な石灰系脱硫剤の一部を上吹き添加し、残りの石灰系脱硫剤を前記溶銑の浴面上に上置き添加して脱硫処理する、機械攪拌式脱硫装置を用いた溶銑の脱硫方法において、上吹きランスから上吹き添加する石灰系脱硫剤の溶銑浴面への衝突時の粒子速度を、上置き添加される石灰系脱硫剤の添加量に応じて下記の（１）式で算出される臨界粒子速度以上に制御することを特徴とする、溶銑の脱硫方法。
Ｃ＝−０．００００９３×Ｒ2＋０．０４７×Ｒ＋１７…（１）
但し、（１）式において、Ｃは、臨界粒子速度（ｍ／ｓｅｃ）、Ｒは、上置き添加される石灰系脱硫剤の溶銑浴面での単位浴面積あたりの添加量（ｋｇ／ｍ2）である。
（２）溶銑浴面へ上置き添加する石灰系脱硫剤として、製鉄工程で副次的に発生する石灰含有物質を使用することを特徴とする、上記（１）に記載の溶銑の脱硫方法。
（３）溶銑浴面へ上置き添加する石灰系脱硫剤として、機械攪拌式脱硫装置にて石灰系脱硫剤を用いた溶銑の脱硫処理で発生した脱硫スラグを使用することを特徴とする、上記（１）に記載の溶銑の脱硫方法。
（４）上置き添加する石灰系脱硫剤の割合が、添加する全石灰系脱硫剤の８０質量％以下であることを特徴とする、上記（１）ないし上記（３）の何れか１項に記載の溶銑の脱硫方法。
【発明の効果】
【００１２】
本発明によれば、機械攪拌式脱硫装置を用い、石灰系脱硫剤の上置き添加と上吹き添加とを併用して溶銑を脱硫処理するにあたり、上置き添加される石灰系脱硫剤の添加量に応じた最適な速度で上吹き添加される石灰系脱硫剤を溶銑浴面に衝突させるので、上吹き添加された脱硫剤の溶銑浴への侵入・分散が安定して起こり、脱硫反応が促進され、少ない脱硫剤で所望する脱硫処理が実施可能となる。その結果、脱硫剤原単位の削減、これに伴う発生スラグ量の削減などが達成され、工業上有益な効果がもたらされる。
【図面の簡単な説明】
【００１３】
【図１】ノズルから噴出されるガス噴流の形態を示す模式図である。
【図２】ノズルから噴出されるガス噴流の流速分布を示す模式図である。
【図３】本発明を実施した機械攪拌式脱硫装置の側面概略図である。
【図４】上置き脱硫剤を添加しないときの上吹き脱硫剤の溶銑浴面への衝突時の粒子速度と脱硫率との関係を示す図である。
【図５】上置き脱硫剤の添加量が７４ｋｇ／ｍ2のときの上吹き脱硫剤の溶銑浴面への衝突時の粒子速度と脱硫率との関係を示す図である。
【図６】上置き脱硫剤の添加量が２５０ｋｇ／ｍ2のときの上吹き脱硫剤の溶銑浴面への衝突時の粒子速度と脱硫率との関係を示す図である。
【図７】上置き添加される脱硫剤の溶銑浴面での単位浴面積あたりの添加量（Ｒ）と臨界粒子速度（Ｃ）との関係を示す図である。
【発明を実施するための形態】
【００１４】
以下、本発明を具体的に説明する。先ず、本発明に至った経緯について説明する。
【００１５】
本発明者らは、機械攪拌式脱硫装置を用いた溶銑の脱硫処理において、溶銑を効率良く脱硫する手段を種々検討した。その結果、格段に脱硫効率の向上を得られることから、特許文献１に開示された、石灰系脱硫剤の投入シュートからの上置き添加と上吹きランスからの上吹き添加とを併用して脱硫する方法が優れていることを確認した。
【００１６】
また、この場合に、上置きの石灰系脱硫剤としては、機械攪拌式脱硫装置にて石灰系脱硫剤を用いた溶銑の脱硫処理で発生する脱硫スラグを用いることが、脱硫率や価格などを総合的に判断した場合に最も有利であることが分かっていたため、基本的には、脱硫スラグを上置きの石灰系脱硫剤として再使用することとした。
【００１７】
しかしながら、実機における試験結果から、上吹き添加の脱硫剤を一定量とした条件であっても、上置き添加される脱硫剤の増加に伴って脱硫効率が劣化するという現象を把握した。そこで、この原因として、脱硫スラグは脱硫剤として通常的に使用される石灰（生石灰）と比べて凝集粒が多く、上吹きランスからの噴流が衝突しても吹き飛びにくいことから、「脱硫剤として上置きした脱硫スラグが上吹き添加される脱硫剤の溶銑浴への侵入・分散を妨げている」との仮定をたて、実機において、石灰系脱硫剤の上置き添加と上吹き添加とを併用して脱硫する際に、上吹き添加する脱硫剤の溶銑浴面への衝突時の粒子速度を変更し、溶銑浴への侵入しやすさを変化させた試験を実施した。
【００１８】
上吹きランスに設置されるラバールノズル或いはストレートノズルなどのノズルを介して上吹き添加される脱硫剤の溶銑浴面への衝突時の粒子速度は、以下の方法を用いて算出した。即ち、下記の（２）式〜（７−２）式によって導出される粒子に加わる加速度の式である下記の（８）式を使って、ノズル出口から静止時の溶銑浴面までの粒子速度の変化を１ｍｍ刻みで計算することにより、脱硫剤の溶銑浴面への衝突時の粒子速度を求めた。
【００１９】
但し、以下の仮定を適用して計算した。
（１）上吹きランスのノズル出口における脱硫剤の粒子速度ＵPoは、ノズル出口におけるガス流速Ｕgoに等しい。
（２）上吹き添加される脱硫剤の粒子径ｄPは、上吹き添加される脱硫剤の質量平均径を使用する。
（３）ガス密度ρgは、２５℃の値を使用する。
（４）ガス粘度ηgは、２５℃の値を使用する。
（５）上吹きランスのノズル出口には、図１に示すように、ノズル１３から噴出されるガス噴流１４の流速Ｕgがノズル出口１３ａでの流速Ｕgoのまま維持される領域１５（「ポテンシャルコア」という）が形成され、このポテンシャルコア１５の下流側には乱流領域１６が形成される。ポテンシャルコア１５の長さは、ノズルの出口径によらずノズル出口径（＝Ｄ）の６倍となる。ポテンシャルコア１５でのガス流速は（７−１）式で表され、乱流領域１６におけるランス軸線上のガス流速Ｕgは（７−２）式で表される。ノズル１３から噴出されるガス噴流１４のガス流速Ｕgの分布の模式図を図２に示す。
【００２０】
Ｆ＝ｍ×ａ  …（２）
Ｆ＝ｍ×ｇ-Ｃd×(π/4)×ｄP2×(1/2)×ρg×(Ｕg-ＵP)2  …（３）
Ｃd＝24×(1+0.125×Ｒe0.72)/Ｒe    （Ｒe＜500）  …（４−１）
Ｃd＝0.44    （Ｒe≧500）  …（４−２）
Ｒe＝ρg×(ＵP-Ｕg)×ｄP/η  …（５）
ｍ＝(1/6)×π×ｄP3×ρP  …（６）
Ｕg＝Ｕgo    （6Ｄ/Ｌ≧1）  …  （７−１）
Ｕg＝Ｕgo×(6Ｄ/Ｌ)    （6Ｄ/Ｌ＜1）  …（７−２）
ａ＝ｇ-[Ｃd×(π/4)×ｄP2×(1/2)×ρg×(Ｕg-ＵP)2]/ｍ  …（８）
但し、（２）式〜（８）式において、Ｆは力（Ｎ）、ｍは脱硫剤粒子の質量（ｋｇ）、ａは加速度（ｍ/sec2）、ｇは重力加速度（ｍ/sec2）、Ｃdは抵抗係数（−）、πは円周率、ｄPは上吹き添加される脱硫剤の粒子径（ｍ）、ρgはガス密度（ｋｇ/ｍ3）、Ｕgはガス流速（ｍ/sec）、ＵPは脱硫剤粒子速度（ｍ/sec）、Ｒeはレイノズル数、ηはガスの粘度（Pa・sec）、ρPは脱硫剤粒子の密度（ｋｇ/ｍ3）、Ｕgoはノズル出口におけるガス流速（ｍ/sec）、Ｄは上吹きランスのノズル出口径（ｍ）、Ｌは上吹きランスのノズル出口からの距離（ｍ）である。
【００２１】
つまり、（２）式〜（７−２）式に基づいて（８）式で定まる加速度ａを用いて、ノズル出口から静止時の溶銑浴面までの粒子速度ＵPの変化を１ｍｍ刻みで計算し、操業時のランス高さＬ0に相当する位置（Ｌ＝Ｌ0）で算出される粒子速度ＵPを、脱硫剤の溶銑浴面への衝突時の粒子速度として求める。ここで、ランス高さＬ0とは、図２に示すように、上吹きランスに設置されるノズルの出口から溶銑浴面までの距離である。
【００２２】
試験の結果、脱硫剤の溶銑浴面への衝突時の粒子速度（以下、単に「衝突時の粒子速度」とも記す）が速くなるほど脱硫率が高くなることが分かった。但し、脱硫剤の衝突時の粒子速度が、上置き添加される脱硫剤の添加量に応じた或る値以上になると、脱硫率はほぼ飽和し、それ以上に脱硫剤の衝突時の粒子速度を高めても脱硫率は余り高くならないことを知見した。本発明では、脱硫率が飽和するときの衝突時の粒子速度を「臨界粒子速度」と定義した。そして、更なる調査結果から、臨界粒子速度は、上置き添加される石灰系脱硫剤の溶銑浴面での単位浴面積あたりの添加量に影響され、下記の（１）式の関係で表されることを知見した。
Ｃ＝−０．００００９３×Ｒ2＋０．０４７×Ｒ＋１７…（１）
但し、（１）式において、Ｃは、臨界粒子速度（ｍ／ｓｅｃ）、Ｒは、上置き添加される石灰系脱硫剤の溶銑浴面での単位浴面積あたりの添加量（ｋｇ／ｍ2）である。
【００２３】
即ち、上置き添加される石灰系脱硫剤の溶銑浴面での単位浴面積あたりの添加量（Ｒ）に応じて、（１）式から算出される臨界粒子速度（Ｃ）以上の速度で上吹き添加の脱硫剤を溶銑浴面に衝突させることで、高い脱硫率が得られることを知見した。これは、上吹き添加される石灰系脱硫剤の衝突時の粒子速度を臨界粒子速度（Ｃ）以上に上昇させることで、上置きした石灰系脱硫剤による、上吹き脱硫剤の溶銑への侵入抑制作用に打ち勝ち、上吹きされる脱硫剤の溶銑への侵入・分散が活発化することによる。
【００２４】
本発明は、これらの知見に基づくものであり、機械攪拌式脱硫装置を用い、石灰系脱硫剤の投入シュートからの上置き添加と上吹きランスからの上吹き添加とを併用して溶銑を脱硫処理するにあたり、上吹きランスから上吹き添加する石灰系脱硫剤の溶銑浴面への衝突時の粒子速度を、上置き添加される石灰系脱硫剤の添加量（Ｒ）に応じて上記の（１）式で算出される臨界粒子速度（Ｃ）以上となるように制御することを特徴とする。
【００２５】
次に、図面を参照して本発明に係る溶銑の脱硫処理方法を説明する。
【００２６】
図３は、本発明を実施した機械攪拌式脱硫装置の側面概略図であり、図３において、高炉から出銑された溶銑３を収容する溶銑鍋２が、台車１に搭載されて機械攪拌式脱硫装置に搬入されている。機械攪拌式脱硫装置は、溶銑鍋２に収容された溶銑３に浸漬・埋没し、旋回して溶銑３を攪拌するための耐火物製のインペラー４を備えており、このインペラー４は、昇降装置（図示せず）によってほぼ鉛直方向に昇降し、且つ、回転装置（図示せず）によって軸４ａを回転軸として旋回するようになっている。また、機械攪拌式脱硫装置には、石灰系脱硫剤６を溶銑鍋２に収容された溶銑３に向けて上吹きして添加するための上吹きランス５と、石灰系脱硫剤６を溶銑鍋２に収容された溶銑３に上置き添加するための投入シュート１０とが設置されている。上吹きランス５はほぼ鉛直方向下方を向いて設置されている。
【００２７】
上吹きランス５は、粉体状の石灰系脱硫剤６を収容するディスペンサー７とディスペンサー７から定量切り出すための切り出し装置８とからなる供給装置と接続しており、上吹きランス５の先端部に設置されるラバールノズル或いはストレートノズルなどのノズル（図示せず）から、搬送用ガスとともに、粉体状の石灰系脱硫剤６を任意のタイミングで供給できる構造になっている。ラバールノズルを介して噴射する場合には、ノズル出口における噴射速度を低速域から亜音速域、更には超音速域まで任意に調整することができるので、ラバールノズルを用いることが好ましい。
【００２８】
石灰系脱硫剤６の搬送用ガスとしては、還元性ガス、不活性ガスまたは非酸化性ガスを使用する。一方、投入シュート１０は、粉体状または細粒の石灰系脱硫剤６を収容するホッパー１１とホッパー１１から定量切り出すためのロータリーフィーダー１２とからなる供給装置と接続しており、投入シュート１０から、粉体状または細粒の石灰系脱硫剤６を任意のタイミングで供給できる構造になっている。ホッパー１１に収容する石灰系脱硫剤６としては、前述したように、機械攪拌式脱硫装置にて石灰系脱硫剤を用いた溶銑の脱硫処理で発生した脱硫スラグを使用することが好ましい。
【００２９】
また、溶銑鍋２の上方位置には、溶銑鍋２を覆うための、上下移動可能な集塵フード９が備えられ、集塵フード９に取り付けられた排気ダクト（図示せず）を介して処理中の排ガスやダストが集塵機（図示せず）に吸引されるようになっている。この場合、インペラー４の軸４ａ、上吹きランス５、投入シュート１０は、集塵フード９を貫通し且つ上下移動が可能なように構成されている。
【００３０】
インペラー４の位置が溶銑鍋２のほぼ中心になるように、溶銑鍋２を搭載した台車１の位置を調整し、次いで、インペラー４を下降させて溶銑３に浸漬させる。インペラー４が溶銑３に浸漬したならば、インペラー４の旋回を開始し、所定の回転数まで昇速する。
【００３１】
インペラー４の回転数が所定の回転数に達したならば、ロータリーフィーダー１２を起動させて、ホッパー１１に収容された石灰系脱硫剤６を、溶銑３の浴面上に投入シュート１０を介して上置き添加する。投入シュート１０からの石灰系脱硫剤６の投入開始と同時にまたは投入開始後に、若しくは投入シュート１０からの石灰系脱硫剤６の投入完了後に、切り出し装置８を起動させて、ディスペンサー７に収容された石灰系脱硫剤６を、搬送用ガスとともに溶銑３の浴面に向けて上吹きランス５から吹き付けて添加する。
【００３２】
この場合に、投入シュート１０からの石灰系脱硫剤６の投入量を予め把握しておき、投入シュート１０からの投入量から、上置き添加される石灰系脱硫剤６の溶銑浴面での単位浴面積あたりの添加量（Ｒ：ｋｇ／ｍ2）を求め、求めた添加量（Ｒ）を上記の（１）式に代入して臨界粒子速度（Ｃ：ｍ／ｓｅｃ）を算出する。そして、上吹きランス５から吹き付けられる石灰系脱硫剤６の溶銑浴面での衝突時の粒子速度が、算出された臨界粒子速度（Ｃ）以上になるように、搬送用ガスの流量及び／または圧力を調整する。搬送用ガスの流量や背圧を高めれば、衝突時の粒子速度は上昇する。上吹きランス５から噴射される石灰系脱硫剤６の溶銑浴面への衝突時の粒子速度は、前述したように、（８）式で定まる加速度ａを用いてノズル出口から静止時の溶銑浴面までの粒子速度の変化を１ｍｍ刻みで計算し、操業時のランス高さＬ0に相当する位置（Ｌ＝Ｌ0）で算出される粒子速度を石灰系脱硫剤６の溶銑浴面への衝突時の粒子速度と決める。
【００３３】
所定量の石灰系脱硫剤６の上置き添加及び上吹き添加が完了し、そして、所定時間の攪拌が行われたなら、インペラー４の回転数を減少させ停止させる。インペラー４の旋回が停止したなら、インペラー４を上昇させ、溶銑鍋２の上方に待機させる。生成したスラグ（「脱硫スラグ」と呼ぶ）が浮上して溶銑表面を覆い、静止した状態で溶銑３の脱硫処理が終了する。脱硫処理後、生成した脱硫スラグを溶銑鍋２から排出し、次の精錬工程に溶銑鍋２を搬送する。脱硫スラグは回収し、次回以降の脱硫処理において、投入シュート１０から投入する石灰系脱硫剤６として活用する。
【００３４】
上吹き添加する石灰系脱硫剤６としては、生石灰（ＣａＯ）、ドロマイト（ＭｇＣＯ3・ＣａＣＯ3）、消石灰（Ｃａ(ＯＨ)2）、石灰石（ＣａＣＯ3）などを使用することができる。また、これらに、ＣａＯの滓化促進剤として機能するアルミナ（Ａｌ2Ｏ3）や蛍石（ＣａＦ2）などを混合したものも使用可能である。勿論、これらを上置き添加する石灰系脱硫剤６として使用することも可能である。
【００３５】
上置き添加する石灰系脱硫剤６は、その脱硫処理で添加する全石灰系脱硫剤の８０質量％以下であることが好ましい。これは、上置き添加する石灰系脱硫剤６が全石灰系脱硫剤の８０質量％を超えると、上吹き添加の脱硫剤が少なくなり、脱硫剤を上吹き添加する効果が少なくなるからである。
【００３６】
以上説明したように、本発明によれば、機械攪拌式脱硫装置を用い、石灰系脱硫剤６の上置き添加と上吹き添加とを併用して溶銑３を脱硫処理するにあたり、上置き添加される石灰系脱硫剤の添加量に応じた最適な速度で上吹き添加される石灰系脱硫剤６を溶銑浴面に衝突させるので、上吹き添加された脱硫剤の溶銑浴への侵入・分散が安定して起こり、脱硫反応が促進され、少ない脱硫剤で所望する脱硫処理が実施可能となる。
【実施例１】
【００３７】
図３に示す機械攪拌式脱硫装置を用い、上吹き脱硫剤として生石灰粉、上置き脱硫剤として脱硫スラグを使用し、上吹きランスから噴射する脱硫剤の溶銑浴面への衝突時の粒子速度を変更して合計９チャージの溶銑の脱硫処理試験を実施した。
【００３８】
上吹き添加する脱硫剤の搬送用ガスとしては窒素ガスを使用し、インペラーは４枚の羽根を有し、羽根に傾斜のないものを使用した。用いた溶銑の化学成分は、Ｃ：３．５〜５．０質量％、Ｓｉ：０．１〜０．３質量％、Ｐ：０．０２〜０．１５質量％、Ｓ：０．０２０〜０．０３９質量％で、溶銑温度は１２００〜１３５０℃の範囲であった。脱硫処理は２００〜５００トンの溶銑の処理が可能な溶銑鍋を処理容器として用い、約３００トンの溶銑を脱硫した。また、脱硫処理時間は脱硫剤の上置き添加開始から１５分間の一定とした。上置き添加の脱硫スラグは、１チャージあたり０ｋｇ、１１９０ｋｇ、４０００ｋｇの３水準とし、上吹き添加の生石灰は１チャージあたり１０００ｋｇの一定とした。
【００３９】
脱硫処理前後の溶銑から試料を採取し、脱硫率を調査した。ここで、脱硫率は下記の（９）式で定義される値である。
【００４０】
【数１】
0005790230.tif 000002
【００４１】
表１に、各脱硫処理試験の操業条件及び脱硫率を示す。尚、表１に示す粒子速度は溶銑浴面に衝突するときの速度であり、粒子速度＝０とは、脱硫剤を上吹きランスから自然落下させた条件である。また、表１の備考欄には、本発明の範囲の試験には「本発明例」と表示し、それ以外には「比較例」と表示している。
【００４２】
【表１】
0005790230.tif 000003
【００４３】
表１に示すように、上吹き脱硫剤の衝突時の粒子速度の上昇に伴って脱硫率が高くなることが確認できた。この脱硫率と上吹き脱硫剤の衝突時の粒子速度との関係を、上置き脱硫剤の添加量別に図４、５、６に示す。図４〜６に示すように、上吹き脱硫剤の衝突時の粒子速度が速くなると脱硫率は高くなるが、上吹き脱硫剤の溶銑浴面への衝突時の粒子速度が或る値以上になると、脱硫率が飽和し、それ以上に衝突時の粒子速度を高めても脱硫率は余り向上しないことが確認できた。前述したように、本発明では、脱硫率が飽和するときの衝突時の粒子速度を臨界粒子速度と定義した。
【００４４】
図４に示すように、上置き添加される脱硫剤の溶銑浴面での単位浴面積あたりの添加量（Ｒ）が０ｋｇ／ｍ2のときには臨界粒子速度（Ｃ）は１７ｍ／ｓｅｃとなり、図５に示すように、添加量（Ｒ）が７４ｋｇ／ｍ2のときには臨界粒子速度（Ｃ）は２０ｍ／ｓｅｃとなり、図６に示すように、添加量（Ｒ）が２５０ｋｇ／ｍ2のときには臨界粒子速度（Ｃ）は２３ｍ／ｓｅｃとなることが分かった。
【００４５】
図４〜６によって得られた、上置き添加される脱硫剤の溶銑浴面での単位浴面積あたりの添加量（Ｒ）と臨界粒子速度（Ｃ）との関係を図７に示す。図７に基づいて添加量（Ｒ）と臨界粒子速度（Ｃ）との関係を回帰式により求めると、前述した（１）式が定まる。
【００４６】
従って、上吹き添加する脱硫剤の溶銑浴面への衝突時の粒子速度を、上置き添加される脱硫剤の溶銑浴面での単位浴面積あたりの添加量（Ｒ）に応じて求められる臨界粒子速度（Ｃ）以上とすることで、安定して高い脱硫率を得ることができる。
【００４７】
尚、図４〜６に示すように、脱硫剤の衝突時の粒子速度が５０ｍ／ｓｅｃ程度では脱硫率は高位であるが、過剰に速くすると、上置き添加される脱硫剤が吹き飛ばされて脱硫率が低下する恐れがあるので、過剰に速くする必要はない。過剰に速くすることはエネルギー消費の観点からも好ましくはない。
【符号の説明】
【００４８】
１  台車
２  溶銑鍋
３  溶銑
４  インペラー
５  上吹きランス
６  石灰系脱硫剤
７  ディスペンサー
８  切り出し装置
９  集塵フード
１０  投入シュート
１１  ホッパー
１２  ロータリーフィーダー
１３  ノズル
１４  ガス噴流
１５  ポテンシャルコア
１６  乱流領域
【図１】
0005790230.tif 000004
【図２】
0005790230.tif 000005
【図３】
0005790230.tif 000006
【図４】
0005790230.tif 000007
【図５】
0005790230.tif 000008
【図６】
0005790230.tif 000009
【図７】
0005790230.tif 000010